(57)【要約】　　　（修正有）【課題】カラーコントラストを増加し、立体感を増す。【解決手段】プラズマディスプレイパネルとフィルタを具え、プラズマディスプレイパネルが前面ガラス基板と背面ガラス基板を具え、プラズマディスプレイパネルがこの前面ガラス基板を透過して映像を外界に表示し、背面ガラス基板の位置が前面ガラス基板に対応し、且つ背面ガラス基板と前面ガラス基板の間にプラズマが設けられ、フィルタは偏光板を具えた多層構造とされ、且つ前面ガラス基板に配置され、フィルタが偏光板を具えたことにより、プラズマディスプレイパネルの表示する映像がこのフィルタを経由した後に現出する画面のカラーコントラストが増加し且つ立体的となる。【選択図】　　　図２
0003098751.tif 000002
【実用新案登録請求の範囲】
【請求項１】
プラズマディスプレイパネルとフィルタを具え、該プラズマディスプレイパネルが前面ガラス基板と背面ガラス基板とを具え、該前面ガラス基板が第１面と第２面を具え、プラズマディスプレイパネルが該前面ガラス基板を透過して画像を外界に表示し、該背面ガラス基板が第１面と第２面を具え、該背面ガラス基板の第１面が該前面ガラス基板の第２面と対向し、該背面ガラス基板の第１面と該前面ガラス基板の第２面の間にプラズマが設けられ、該フィルタが複数層で組成され、該フィルタが複数層を具えてそのうちの一層が偏光板とされたことを特徴とする、偏光板を具えたプラズマディスプレイパネル装置。
【請求項２】
請求項１記載の偏光板を具えたプラズマディスプレイパネル装置において、フィルタが前面ガラス基板に対向する層から順に形成された防眩層、偏光板、電磁波遮蔽層、ガラス層、もう一つの防眩層で組成されたことを特徴とする、偏光板を具えたプラズマディスプレイパネル装置。
【請求項３】
請求項１記載の偏光板を具えたプラズマディスプレイパネル装置において、フィルタと前面ガラス基板の第１面の間に距離が設けられたことを特徴とする、偏光板を具えたプラズマディスプレイパネル装置。
【請求項４】
請求項１記載の偏光板を具えたプラズマディスプレイパネル装置において、フィルタが前面ガラス基板の第１面上に直接形成されたことを特徴とする、偏光板を具えたプラズマディスプレイパネル装置。
【請求項５】
プラズマテレビにおいて、該プラズマテレビは偏光板を具えたプラズマディスプレイパネル装置を具え、該偏光板を具えたプラズマディスプレイパネル装置はプラズマディスプレイパネルとフィルタを具え、該プラズマディスプレイパネルが前面ガラス基板と背面ガラス基板とを具え、該前面ガラス基板が第１面と第２面を具え、プラズマディスプレイパネルが該前面ガラス基板を透過して画像を外界に表示し、該背面ガラス基板が第１面と第２面を具え、該背面ガラス基板の第１面が該前面ガラス基板の第２面と対向し、該背面ガラス基板の第１面と該前面ガラス基板の第２面の間にプラズマが設けられ、該フィルタが複数層で組成され、該フィルタが複数層を具えてそのうちの一層が偏光板とされたことを特徴とする、プラズマテレビ。
【請求項６】
請求項５記載の偏光板を具えたプラズマテレビにおいて、フィルタが偏光板のほか、電磁波遮蔽層、ガラス層、及び二つの防眩層を具えたことを特徴とする、プラズマテレビ。
【考案の詳細な説明】
【０００１】
【考案の属する技術分野】
本考案は一種の偏光板を具えたプラズマディスプレイパネル装置に係り、特に、プラズマディスプレイパネル、フィルタ及び偏光板を具えたプラズマディスプレイパネル装置に関する。
【０００２】
【従来の技術】
プラズマテレビは薄型で高画質の利点から、未来のカラーテレビの主流となる製品の一つとされるが、製作過程からみるとプラズマテレビは製造行程の複雑度が高く、生産能力を高めにくく、現在プラズマテレビはビジネス用が主流である。しかし将来の家電市場にあって成長する潜在力を有すると期待されているため、アジアの各メーカーは積極的にプラズマテレビの研究開発を進めており、ソニー、ＮＥＣ、シャープ、パイオニア、日立、三菱、韓国のＬＧ、三星、台湾の達碁、華映、聲寶、台塑、瑞隆などのメーカーが研究グループを形成して将来のプラズマテレビ市場のための積極的な開発を進めている。
【０００３】
プラズマテレビはプラズマディスプレイパネル（ＰＤＰ）で組成される。このプラズマディスプレイパネルは複数のセルで組成され、セルサイズは約１００μｍとされ、セル中に慣性ガスが充填され、室温下での圧力は約５００Ｔｏｒｒとされ、通常はネオン（Ｎｅ）とキセノン（Ｘｅ）の混合ガスが使用され、ネオンガスの割合が１００分の９０とされる。セルの底部には赤、黄、緑の三色の蛍光剤が塗布されてい。ディスプレイスクリーンはセルのマトリックスで組成され、表示時は電極によセル中に充填された慣性ガスを励起させ、セル中のプラズマを燃焼させ、プラズマが燃焼時に、分子が励起されて光波を輻射し、発射された光波中の１００分の１０は紫外光（ＵＶ）とされ、セル底部の蛍光剤が紫外光を吸収し、色付きの可視光を発射する。
【０００４】
使用者がプラズマテレビを観る時の画面を十分に鮮明とすると共に電磁波輻射を防止するため、プラズマテレビ中にはフィルタがプラズマディスプレイパネルの可視光発射面の前方約５ｍｍ（メーカーの設計による）が配置される。フィルタは通常防眩層（ＡＲ）、色補正層、電磁波遮蔽層及びガラス層を具えている。これにより、プラズマテレビ中にあって、プラズマディスプレイパネルの放出する可視光がフィルタを通過後に可視光の電磁波輻射が減らされ、且つ可視光の現出する画面が良好な色彩と輝度を具備する。
【０００５】
可視光は一種の電磁波であり、このため可視光がフィルタに進入した後、フィルタ中で可視光自身の有する異なる方向の偏振が除去されるほか、可視光がフィルタ中で干渉或いは回折を発生しうる。可視光のフィルタ中での異なる方向の偏振及び発生する干渉或いは回折はいずれも可視光がフィルタを通過した後に現出する画面に影響を与える。
【０００６】
ゆえに、全体として、プラズマテレビ中のプラズマディスプレイパネルとフィルタの構造により現出される画面には改善の余地があり、特にカラーコントラストの点での研究が求められている。
【０００７】
【考案が解決しようとする課題】
ゆえに、本考案はプラズマテレビの画面に現出するカラーコントラスト不足の問題に対して、プラズマテレビ画面の現出するカラーコントラストを増加し、且つ立体感を増した、一種の偏光板を具えたプラズマディスプレイパネル装置を提供するものである。
【０００８】
本考案の主要な目的は、一種の偏光板を具えたプラズマディスプレイパネル装置を提供することにあり、それは、プラズマディスプレイパネルとフィルタを具え、そのうちプラズマディスプレイパネルは前面ガラス基板と背面ガラス基板を具え、前面ガラス基板は第１面と第２面を具え、且つこの前面ガラス基板を透過してプラズマディスプレイパネルの画像が外界に表示され、背面ガラス基板も第１面と第２面を具え、背面ガラス基板の第２面が前面ガラス基板の第１面に背向し、且つ背面ガラス基板の第１面と前面ガラス基板の第２面の間にプラズマが設けられる。フィルタは前面ガラス基板の第１面の前方に配置され、且つフィルタ中に偏光板が設けらたものとする。
【０００９】
本考案の実施例中、フィルタは偏光板のほか、電磁波遮蔽層、ガラス層、及び二つの防眩層を具え、これにより、本考案の実施例の偏光板を具えたプラズマディスプレイパネル装置中、フィルタにプラズマディスプレイパネルの前面ガラス基板に対向する層から順に、防眩層、偏光板、電磁波遮蔽層、ガラス層、もう一つの防眩層が設けられている。
【００１０】
本考案の別の実施例中、フィルタは偏光板のほか、色補正層、電磁波遮蔽層、ガラス層、及び二つの防眩層を具え、これにより、本考案のこの別の実施例の偏光板を具えたプラズマディスプレイパネル装置中、フィルタにプラズマディスプレイパネルの前面ガラス基板に対向する層から順に防眩層、偏光板、色補正層、電磁波遮蔽層、ガラス層、もう一つの防眩層が設けられている。
【００１１】
本考案のさらに別の実施例中、上記別の実施例と同様にフィルタは偏光板のほか、色補正層、電磁波遮蔽層、ガラス層、及び二つの防眩層を具えているが、前面ガラス基板に対向する層から順に、防眩層、ガラス層、色補正層、電磁波遮蔽層、偏光板及びもう一つの防眩層が設けられている。
【００１２】
本考案の次の目的は、上述の偏光板を具えたプラズマディスプレイパネル装置を運用したプラズマテレビを提供することにあり、このプラズマテレビは上述の偏光板を具えたプラズマディスプレイパネル装置を具え、プラズマテレビの現出する画面のカラーコントラストが増され、且つ立体感が増されたものとする。
【００１３】
【課題を解決するための手段】
請求項１の考案は、プラズマディスプレイパネルとフィルタを具え、該プラズマディスプレイパネルが前面ガラス基板と背面ガラス基板とを具え、該前面ガラス基板が第１面と第２面を具え、プラズマディスプレイパネルが該前面ガラス基板を透過して画像を外界に表示し、該背面ガラス基板が第１面と第２面を具え、該背面ガラス基板の第１面が該前面ガラス基板の第２面と対向し、該背面ガラス基板の第１面と該前面ガラス基板の第２面の間にプラズマが設けられ、該フィルタが複数層で組成され、該フィルタが複数層を具えてそのうちの一層が偏光板とされたことを特徴とする、偏光板を具えたプラズマディスプレイパネル装置としている。
請求項２の考案は、請求項１記載の偏光板を具えたプラズマディスプレイパネル装置において、フィルタが前面ガラス基板に対向する層から順に形成された防眩層、偏光板、電磁波遮蔽層、ガラス層、もう一つの防眩層で組成されたことを特徴とする、偏光板を具えたプラズマディスプレイパネル装置としている。
請求項３の考案は、請求項１記載の偏光板を具えたプラズマディスプレイパネル装置において、フィルタと前面ガラス基板の第１面の間に距離が設けられたことを特徴とする、偏光板を具えたプラズマディスプレイパネル装置としている。請求項４の考案は、請求項１記載の偏光板を具えたプラズマディスプレイパネル装置において、フィルタが前面ガラス基板の第１面上に直接形成されたことを特徴とする、偏光板を具えたプラズマディスプレイパネル装置としている。
請求項５の考案は、プラズマテレビにおいて、該プラズマテレビは偏光板を具えたプラズマディスプレイパネル装置を具え、該偏光板を具えたプラズマディスプレイパネル装置はプラズマディスプレイパネルとフィルタを具え、該プラズマディスプレイパネルが前面ガラス基板と背面ガラス基板とを具え、該前面ガラス基板が第１面と第２面を具え、プラズマディスプレイパネルが該前面ガラス基板を透過して画像を外界に表示し、該背面ガラス基板が第１面と第２面を具え、該背面ガラス基板の第１面が該前面ガラス基板の第２面と対向し、該背面ガラス基板の第１面と該前面ガラス基板の第２面の間にプラズマが設けられ、該フィルタが複数層で組成され、該フィルタが複数層を具えてそのうちの一層が偏光板とされたことを特徴とする、プラズマテレビとしている。
請求項６の考案は、請求項５記載の偏光板を具えたプラズマテレビにおいて、フィルタが偏光板のほか、電磁波遮蔽層、ガラス層、及び二つの防眩層を具えたことを特徴とする、プラズマテレビとしている。
【００１４】
【考案の実施の形態】
図１は本考案の実施例の偏光板を具えたプラズマディスプレイパネル装置の側面断面の簡単な表示図である。偏光板を具えたプラズマディスプレイパネル装置１００は、プラズマディスプレイパネル１１０とフィルタ１４０で組成されている。そのうち、プラズマディスプレイパネル１１０は二つの位置が相互に対向するガラス基板１２０、１３０を具え、二つのガラス基板１２０、１３０の間にプラズマ１２５が充填されている。且つプラズマディスプレイパネル１１０がガラス基板１３０を透過して画像を外界に表示するため、フィルタ１４０は外界に対向するガラス基板１３０に配置され、本考案の好ましい実施例によると、フィルタ１４０とガラス基板１３０の間に距離が設けられず、フィルタ１４０が直接ガラス基板１３０上に形成されている。本考案は特にフィルタ１４０に偏光板１５０が加入されている。
【００１５】
図２は本考案の実施例のフィルタ１４０の側面断面の簡単な表示図である。フィルタ１４０は偏光板１５０のほか、防眩層２６０、電磁波遮蔽層２７０、ガラス層２８０及びもう一つの防眩層２９０を具えている。ゆえに、図１のプラズマディスプレイパネル１１０の発射する可視光１９５は、防眩層２６０よりフィルタ１４０中に進入し、且つもう一つの防眩層２９０を通りフィルタ１４０より発射される。可視光１９５が防眩層２６０に進入した後、防眩層２６０は可視光１９５の透光率を増加できるが、防眩層２６０は可視光１９５に対して回折或いは干渉を発生させうる。このため、可視光１９５が防眩層２６０中でそれ自身が異なる方向の偏光を有するほか、防眩層２６０により回折或いは干渉を発生する。
【００１６】
異なる方向の偏振及び回折或いは干渉を有する可視光１９５が防眩層２６０を離れて偏光板１５０に進入した後、偏光板１５０は可視光１９５を偏極化し、即ち偏光板１５０がある方向の可視光１９５を吸収し、特定方向のみの可視光１９５を残し、可視光１９５の異なる方向の偏振及びその発生する回折或いは干渉を除去する。
【００１７】
これにより、可視光１９５が偏光板１５０を離れて電磁波遮蔽層２７０に進入する時、偏極光（即ち特定方向の偏振の光）とされる。これにより、偏極化の後の可視光１９５が電磁波遮蔽層２７０、さらにガラス層２８０、もう一つの防眩層２９０に進入する時、回折或いは干渉を発生しにくい。
【００１８】
以上から分かるように、本考案の実施例の偏光板を具えたプラズマディスプレイパネル装置１００中、プラズマディスプレイパネル１１０の発生する可視光１９５は偏光板１５０を具えたフィルタ１４０を通過した後、その現出する画面は、カラーコントラスト上、及び立体感上、いずれも優れたものとなる。
【００１９】
さらに以下の表１に本考案の実施例の円偏振の偏光板を加えたフィルタとその他のメーカーのフィルタの明画面、暗画面及びコントラスト上の数値を示した。
【表１】
0003098751.tif 000003
【００２０】
表１から分かるように、力特社製の円偏振偏光板を加えたフィルタと力特社製の円偏振偏光板を加えないフィルタを比較すると、前者の明画面及び暗画面はいずれも暗くなるが、コントラスト結果上は約２８％高くなる。力特社製の円偏振偏光板を加えたフィルタと日清紡社製のフィルタのコントラスト結果を比較すると、力特社製の円偏振偏光板を加えたフィルタは約１６％高い。
【００２１】
これにより、本考案の好ましい実施例は力特社製の円偏振偏光板を加えたフィルタをプラズマディスプレイパネル装置中のろ光に使用し、その効果は僅かに日清紡社製のフィルタ或いは力特社製の円偏振偏光板を加えないフィルタを設けたものと較べ、コントラスト結果上、非常に優れている。このほか、本考案は異なる環境の要求に対応するため、偏光板をフィルタ中の異なる層の位置に配置可能である。図３は本考案の別の実施例の側面図であり、そのうち、フィルタ３００は防眩層３１０、偏光板３２０、色補正層３３０、電磁波遮蔽層３４０、ガラス層３５０及びもう一つの防眩層３６０を具えている。偏光板３２０は防眩層３１０と色補正層３３０の間に位置する。
【００２２】
図４は本考案のさらに別の実施例の側面図であり、そのうち、フィルタ４００は図３と同じ防眩層３１０、色補正層３３０、電磁波遮蔽層３４０、ガラス層３５０及びもう一つの防眩層３６０を具えているが、偏光板３２０がガラス層３５０と交換されて電磁波遮蔽層ともう一つの防眩層３６０の間に位置する。
【００２３】
偏光板がフィルタ中のどの層に位置しても、偏光板はフィルタに進入する可視光の多方向の偏振及び発生する回折或いは干渉を除去でき、これにより可視光が偏光板を具えたフィルタを通過した後に現出する画面は、そのカラーコントラストと立体感に優れたものとなる。
【００２４】
【考案の効果】
総合すると、本考案はプラズマテレビに運用できる偏光板を具えたプラズマディスプレイパネル装置を提供し、プラズマディスプレイパネルに直接偏光板を具えたフィルタが形成され、これによりプラズマディスプレイパネルが発射する可視光がこの偏光板を具えたフィルタを通過した後、可視光の多方向の偏振及び発生する干渉或いは回折がろ過され、これにより可視光がフィルタを通過した後に現出する画面が周知の技術よりもカラーコントラストが高く立体感が増したものとなる。
【００２５】
以上は本考案の好ましい実施例の説明であって、本考案の実施範囲を限定するものではなく、本考案に基づきなしうる細部の修飾或いは改変は、いずれも本考案の請求範囲に属するものとする。
【図面の簡単な説明】
【図１】本考案の実施例の偏光板を具えたプラズマディスプレイパネル装置の簡易側面断面図である。
【図２】本考案の実施例のフィルタの簡易側面断面図である。
【図３】本考案の別の実施例のフィルタの簡易側面断面図である。
【図４】本考案のさらに別の実施例のフィルタの簡易側面断面図である。
【符号の説明】
１００　偏光板を具えたプラズマディスプレイパネル装置
１１０　プラズマディスプレイパネル
１２０、１３０　ガラス基板
１４０、３００、４００　フィルタ
１５０　偏光板
２６０、２９０、３１０、３６０　防眩層
２７０、３４０　電磁波遮蔽層
３３０　色補正層
２８０、３５０　ガラス層
１９５　可視光
【図１】
0003098751.tif 000004
【図２】
0003098751.tif 000005
【図３】
0003098751.tif 000006
【図４】
0003098751.tif 000007